(57)【特許請求の範囲】
【請求項１】
指向性の方向を予め設定された第１所定数の方向に変更可能に構成されると共に、予め設定された第２所定数の段階にゲインを変更可能に構成されたスマートアンテナが接続され、接続されたスマートアンテナを介してテレビジョン放送を受信してモニタに出力可能に構成された放送受信装置であって、
チャンネル毎に、前記スマートアンテナに対して設定する方向及びゲインを受信条件として格納する条件記憶手段と、
予め設定された複数のチャンネルの中から、受信する１のチャンネルを順次設定するチャンネル設定手段と、
前記チャンネル設定手段によって設定されたチャンネルに対応するテレビジョン放送を、前記スマートアンテナを介して受信する受信手段と、
前記チャンネル設定手段によって１のチャンネルが設定される度に、前記第２所定数の段階のゲインの中から、予め設定された順に１のゲインを設定すると共に、前記第１所定数の方向の中から、予め設定された順に１の方向を設定する条件設定手段と、
前記条件設定手段によって１のゲイン及び１の方向が設定される度に、前記スマートアンテナを、設定された１のゲイン及び１の方向に設定し、前記受信手段を介して受信されるテレビジョン放送の受信状態の良否を示す情報である受信良否情報を生成する受信状態評価手段と、
前記条件設定手段によって設定された１のゲイン及び１の方向について、前記受信状態評価手段によって生成された受信良否情報に基づき、テレビジョン放送の受信状態が良好であるか否かを判定する受信判定手段と、
前記受信判定手段によって、テレビジョン放送の受信状態が良好であると判定された場合に、前記条件設定手段によって設定された１のゲイン及び１の方向を、前記受信条件として前記条件記憶手段に記録し、前記条件設定手段に対してゲイン及び方向の設定処理を終了させる検索終了手段と、
前記第１所定数の方向が複数の群に分類され、群毎に、方向の識別情報である方向識別情報を予め格納する方向記憶手段を備え、
前記条件設定手段は、
前記第２所定数の段階のゲインの中から、１のゲインを設定し、前記方向記憶手段に格納された１の群に含まれる方向の中から予め設定された順に１の方向を設定し、
前記方向記憶手段に格納された１の群に含まれる全ての方向が設定された後に、前記第２所定数の段階のゲインの中から、他の１のゲインを設定し、前記方向記憶手段に格納された前記１の群に含まれる方向の中から予め設定された順に１の方向を設定し、
前記方向記憶手段に格納された１の群に含まれる全ての方向が設定された後に、前記第２所定数の段階のゲインの中から、前記１のゲインを設定し、前記方向記憶手段に格納された他の１の群に含まれる方向の中から予め設定された順に１の方向を設定し、
前記方向記憶手段に格納された前記他の１の群に含まれる全ての方向が設定された後に、前記第２所定数の段階のゲインの中から、他の１のゲインを設定し、前記方向記憶手段に格納された前記他の１の群に含まれる方向の中から予め設定された順に１の方向を設定することを特徴とする放送受信装置。
【請求項２】
前記受信状態評価手段は、予め設定された所定時間毎に予め設定された所定回数だけ受信良否情報を生成し、
前記受信判定手段は、前記所定回数分の受信良否情報が全て、受信状態が良好であることを示す場合に、受信状態が良好であると判定することを特徴とする請求項１に記載の放送受信装置。
【請求項３】
前記受信状態評価手段は、前記受信良否情報として、ＢＥＲ（Ｂｉｔ Ｅｒｒｏｒ Ｒａｔｅ）を生成することを特徴とする請求項１又は請求項２に記載の放送受信装置。
【請求項４】
前記方向記憶手段において、前記１の群に含まれる方向は、前記第１所定数の方向の中から、時計回りに、予め設定された所定個数毎に選定された方向であることを特徴とする請求項１〜請求項３のいずれか1項に記載の放送受信装置。
【請求項５】
前記第２所定数の段階のゲインが複数の群に分類され、群毎に、ゲインの識別情報であるゲイン識別情報を予め格納するゲイン記憶手段を備え、
前記条件設定手段は、
前記ゲイン記憶手段に格納された１の群に含まれるゲインの中から１のゲインを設定し、前記方向記憶手段に格納された１の群に含まれる方向の中から予め設定された順に１の方向を設定し、
前記方向記憶手段に格納された前記１の群に含まれる全ての方向が設定された後に、前記ゲイン記憶手段に格納された前記１の群に含まれるゲインの中から他の１のゲインを設定し、前記方向記憶手段に格納された前記１の群に含まれる方向の中から予め設定された順に１の方向を設定し、
前記方向記憶手段に格納された前記１の群に含まれる全ての方向が設定された後に、前記ゲイン記憶手段に格納された前記１の群に含まれるゲインの中から前記１のゲインを設定し、前記方向記憶手段に格納された他の１の群に含まれる方向の中から予め設定された順に１の方向を設定し、
前記方向記憶手段に格納された前記他の１の群に含まれる全ての方向が設定された後に、前記ゲイン記憶手段に格納された前記１の群に含まれるゲインの中から他の１のゲインを設定し、前記方向記憶手段に格納された前記他の１の群に含まれる方向の中から予め設定された順に１の方向を設定し、
前記検索終了手段は、前記ゲイン記憶手段に格納された前記１の群に含まれる全てのゲインが設定された場合に、前記条件設定手段に対してゲイン及び方向の設定処理を終了させることを特徴とする請求項１〜請求項４のいずれか1項に記載の放送受信装置。
【請求項６】
前記ゲイン記憶手段において、前記１の群に含まれるゲインは、前記第２所定数の段階のゲインの中から、予め設定された所定段階毎に選定されたゲインであることを特徴とする請求項５に記載の放送受信装置。
【請求項７】
前記第１所定数は１６個であり、前記第２所定数は４個であって、
前記方向記憶手段は、前記１６個の方向が２個の群に分類され、前記１６個の方向の中から、時計回りに、２個毎に選定された８個の方向に対応する方向識別情報を第１群として格納し、残りの８個の方向に対応する方向識別情報を第２群として格納しており、
前記ゲイン記憶手段は、前記４個の段階のゲインが２個の群に分類され、前記４個の段階のゲインの中から、小さい順に、２個毎に選定された２個のゲインに対応するゲイン識別情報を第１群として格納し、残りの２個のゲインに対応するゲイン識別情報を第２群として格納していることを特徴とする請求項６に記載の放送受信装置。
【発明の詳細な説明】
【技術分野】
【０００１】
本発明は、指向性の方向を予め設定された第１所定数の方向に変更可能に構成されると共に、予め設定された第２所定数の段階にゲインを変更可能に構成されたスマートアンテナが接続され、接続されたスマートアンテナを介してテレビジョン放送を受信してＲＦ（Ｒａｄｉｏ  Ｆｒｅｑｕｅｎｃｙ）信号を出力可能に構成された放送受信装置に関する。
【背景技術】
【０００２】
従来、テレビジョン放送を受信するために、八木アンテナ等の指向性アンテナが使用されている。このような指向性アンテナは、強い指向性により弱い電波でも受信することができる一方、特定方向からの電波しか受信するができないという欠点がある。このような特性は、テレビジョン放送波を送出する送信塔が一箇所に集中している日本等においてはあまり問題にならないが、米国等においては、都市部を囲むように複数の送信塔が分布している地域も多く、指向性アンテナを利用した場合、送信塔からの距離が近くても受信できない局が存在することがあった。
【０００３】
そこで、このような問題を解決すべく、アンテナの指向性を変更できるように、受信装置からアンテナをコントロールする規格であるＥＩＡ（Ｅｌｅｃｔｒｏｎｉｃ  Ｉｎｄｕｓｔｒｉｅｓ  Ａｌｌｉａｎｃｅ）−９０９（＝Ａｎｔｅｎｎａ  Ｃｏｎｔｒｏｌ  Ｉｎｔｅｒｆａｃｅ）が制定された。これは、受信装置に指向性を変更できるアンテナ（以下、スマートアンテナという）を接続し、これを受信装置側からモジュラ端子を介して制御するための規格である。
【０００４】
このようなスマートアンテナが接続可能なテレビジョン放送受信装置では、各チャンネルについて、テレビジョン放送信号を最も状態良く受信できるスマートアンテナの方向（以下、最適受信方向という）を設定する必要があり、最適受信方向を設定するための種々の装置、方法が提案されている。
【０００５】
例えば、接続されたアンテナに対して、全ての受信方向を順次指示するための受信方向制御信号を出力し、各受信方向を指示した際に受信したテレビジョン放送信号の受信強度を測定し、測定された受信強度に基づいて、接続されたアンテナがスマートアンテナであるか否かを判定するＴＶ放送受信装置が開示されている（特許文献１参照）。このようなＴＶ放送受信装置によれば、接続されたアンテナがスマートアンテナであるか否かを判定できると共に、スマートアンテナであるか否かに応じて適切な受信制御を行うことができる。
【特許文献１】特開２００６−２０１２８５号公報
【発明の開示】
【発明が解決しようとする課題】
【０００６】
しかしながら、上記ＴＶ放送受信装置では、接続されたスマートアンテナを介してテレビジョン放送を受信する場合に、チャンネル毎にスマートアンテナの方向及びゲインを適正な値に設定する必要があるため、適正な方向及びゲインを検索するために長い時間を要する場合があった。
【０００７】
例えば、スマートアンテナの方向が１６方向に変更可能であり、ゲインが４段階に変更可能である場合には、チャンネル毎に６４回（＝１６×４）だけ受信強度を測定する必要があった。また、ＥＩＡ−９０９規格では、ゲインが４段階に変更可能と規定されているが、現実のスマートアンテナでは、ゲインが２段階にしか調整できないものがあり、このような場合に、チャンネル毎に６４回（＝１６×４）だけ受信強度を測定することは非効率であった。
【０００８】
本発明は、上記課題に鑑みてなされたものであって、スマートアンテナの方向及びゲインの適正値を効率的に検索することが可能な放送受信装置を提供することを目的としている。
【課題を解決するための手段】
【０００９】
上記目的を達成するために請求項１に記載の放送受信装置は、指向性の方向を予め設定された第１所定数の方向に変更可能に構成されると共に、予め設定された第２所定数の段階にゲインを変更可能に構成されたスマートアンテナが接続され、接続されたスマートアンテナを介してテレビジョン放送を受信してモニタに出力可能に構成された放送受信装置であって、チャンネル毎に、前記スマートアンテナに対して設定する方向及びゲインを受信条件として格納する条件記憶手段と、予め設定された複数のチャンネルの中から、受信する１のチャンネルを順次設定するチャンネル設定手段と、前記チャンネル設定手段によって設定されたチャンネルに対応するテレビジョン放送を、前記スマートアンテナを介して受信する受信手段と、前記チャンネル設定手段によって１のチャンネルが設定される度に、前記第２所定数の段階のゲインの中から、予め設定された順に１のゲインを設定すると共に、前記第１所定数の方向の中から、予め設定された順に１の方向を設定する条件設定手段と、前記条件設定手段によって１のゲイン及び１の方向が設定される度に、前記スマートアンテナを、設定された１のゲイン及び１の方向に設定し、前記受信手段を介して受信されるテレビジョン放送の受信状態の良否を示す情報である受信良否情報を生成する受信状態評価手段と、前記条件設定手段によって設定された１のゲイン及び１の方向について、前記受信状態評価手段によって生成された受信良否情報に基づき、テレビジョン放送の受信状態が良好であるか否かを判定する受信判定手段と、前記受信判定手段によって、テレビジョン放送の受信状態が良好であると判定された場合に、前記条件設定手段によって設定された１のゲイン及び１の方向を、前記受信条件として前記条件記憶手段に記録し、前記条件設定手段に対してゲイン及び方向の設定処理を終了させる検索終了手段と、前記第１所定数の方向が複数の群に分類され、群毎に、方向の識別情報である方向識別情報を予め格納する方向記憶手段を備え、前記条件設定手段は、前記第２所定数の段階のゲインの中から、１のゲインを設定し、前記方向記憶手段に格納された１の群に含まれる方向の中から予め設定された順に１の方向を設定し、前記方向記憶手段に格納された１の群に含まれる全ての方向が設定された後に、前記第２所定数の段階のゲインの中から、他の１のゲインを設定し、前記方向記憶手段に格納された前記１の群に含まれる方向の中から予め設定された順に１の方向を設定し、前記方向記憶手段に格納された１の群に含まれる全ての方向が設定された後に、前記第２所定数の段階のゲインの中から、前記１のゲインを設定し、前記方向記憶手段に格納された他の１の群に含まれる方向の中から予め設定された順に１の方向を設定し、前記方向記憶手段に格納された前記他の１の群に含まれる全ての方向が設定された後に、前記第２所定数の段階のゲインの中から、他の１のゲインを設定し、前記方向記憶手段に格納された前記他の１の群に含まれる方向の中から予め設定された順に１の方向を設定することを特徴としている。
【００１０】
請求項２に記載の放送受信装置は、請求項１に記載の放送受信装置であって、前記受信状態評価手段が、予め設定された所定時間毎に予め設定された所定回数だけ受信良否情報を生成し、前記受信判定手段が、前記所定回数分の受信良否情報が全て、受信状態が良好であることを示す場合に、受信状態が良好であると判定することを特徴としている。
【００１１】
請求項３に記載の放送受信装置は、請求項１又は請求項２に記載の放送受信装置であって、前記受信状態評価手段が、前記受信良否情報として、ＢＥＲ（Ｂｉｔ  Ｅｒｒｏｒ  Ｒａｔｅ）を生成することを特徴としている。
【００１３】
請求項４に記載の放送受信装置は、請求項１〜請求項３のいずれかに記載の放送受信装置であって、前記方向記憶手段において、前記１の群に含まれる方向が、前記第１所定数の方向の中から、時計回りに、予め設定された所定個数毎に選定された方向であることを特徴としている。
【００１４】
請求項５に記載の放送受信装置は、請求項１〜請求項４のいずれかに記載の放送受信装置であって、前記第２所定数の段階のゲインが複数の群に分類され、群毎に、ゲインの識別情報であるゲイン識別情報を予め格納するゲイン記憶手段を備え、前記条件設定手段が、前記ゲイン記憶手段に格納された１の群に含まれるゲインの中から１のゲインを設定し、前記方向記憶手段に格納された１の群に含まれる方向の中から予め設定された順に１の方向を設定し、前記方向記憶手段に格納された前記１の群に含まれる全ての方向が設定された後に、前記ゲイン記憶手段に格納された前記１の群に含まれるゲインの中から他の１のゲインを設定し、前記方向記憶手段に格納された前記１の群に含まれる方向の中から予め設定された順に１の方向を設定し、前記方向記憶手段に格納された前記１の群に含まれる全ての方向が設定された後に、前記ゲイン記憶手段に格納された前記１の群に含まれるゲインの中から前記１のゲインを設定し、前記方向記憶手段に格納された他の１の群に含まれる方向の中から予め設定された順に１の方向を設定し、前記方向記憶手段に格納された前記他の１の群に含まれる全ての方向が設定された後に、前記ゲイン記憶手段に格納された前記１の群に含まれるゲインの中から他の１のゲインを設定し、前記方向記憶手段に格納された前記他の１の群に含まれる方向の中から予め設定された順に１の方向を設定し、前記検索終了手段が、前記ゲイン記憶手段に格納された前記１の群に含まれる全てのゲインが設定された場合に、前記条件設定手段に対してゲイン及び方向の設定処理を終了させることを特徴としている。
【００１５】
請求項６に記載の放送受信装置は、請求項５に記載の放送受信装置であって、前記ゲイン記憶手段において、前記１の群に含まれるゲインが、前記第２所定数の段階のゲインの中から、予め設定された所定段階毎に選定されたゲインであることを特徴としている。
【００１６】
請求項７に記載の放送受信装置は、請求項６に記載の放送受信装置であって、前記第１所定数は１６個であり、前記第２所定数は４個であって、前記方向記憶手段が、前記１６個の方向が２個の群に分類され、前記１６個の方向の中から、時計回りに、２個毎に選定された８個の方向に対応する方向識別情報を第１群として格納し、残りの８個の方向に対応する方向識別情報を第２群として格納しており、前記ゲイン記憶手段が、前記４個の段階のゲインが２個の群に分類され、前記４個の段階のゲインの中から、小さい順に、２個毎に選定された２個のゲインに対応するゲイン識別情報を第１群として格納し、残りの２個のゲインに対応するゲイン識別情報を第２群として格納していることを特徴としている。
【発明の効果】
【００１７】
請求項１に記載の放送受信装置によれば、チャンネル毎に、スマートアンテナに対して設定する方向及びゲインが受信条件として条件記憶手段に格納され、予め設定された複数のチャンネルの中から、受信する１のチャンネルが順次設定され、チャンネルに対応するテレビジョン放送が、受信手段によってスマートアンテナを介して受信される。また、１のチャンネルが設定される度に、第２所定数の段階のゲインの中から、予め設定された順に１のゲインが設定されると共に、第１所定数の方向の中から、予め設定された順に１の方向が設定され、１のゲイン及び１の方向が設定される度に、スマートアンテナが、設定された１のゲイン及び１の方向に設定され、受信手段を介して受信されるテレビジョン放送の受信状態の良否を示す情報である受信良否情報が生成される。そして、生成された受信良否情報に基づき、受信状態が良好であるか否かが判定され、受信状態が良好であると判定された場合に、設定された１のゲイン及び１の方向が、受信条件として条件記憶手段に記録されて、ゲイン及び方向の設定処理が終了されるため、スマートアンテナの方向及びゲインの適正値を効率的に検索することができる。また、第１所定数の方向が複数の群に分類され、群毎に、方向の識別情報である方向識別情報が予め方向記憶手段に格納されており、第２所定数の段階のゲインの中から、１のゲインが設定され、方向記憶手段に格納された１の群に含まれる方向の中から予め設定された順に１の方向が設定され、方向記憶手段に格納された１の群に含まれる全ての方向が設定された後に、第２所定数の段階のゲインの中から、他の１のゲインが設定され、方向記憶手段に格納された１の群に含まれる方向の中から予め設定された順に１の方向が設定される。そして、方向記憶手段に格納された１の群に含まれる全ての方向が設定された後に、第２所定数の段階のゲインの中から、１のゲインが設定され、方向記憶手段に格納された他の１の群に含まれる方向の中から予め設定された順に１の方向が設定され、方向記憶手段に格納された他の１の群に含まれる全ての方向が設定された後に、第２所定数の段階のゲインの中から、他の１のゲインが設定され、方向記憶手段に格納された他の１の群に含まれる方向の中から予め設定された順に１の方向が設定されるため、スマートアンテナの方向及びゲインの適正値を更に効率的に検索することができる。
【００１８】
すなわち、１のチャンネルが設定される度に、１のゲイン及び１の方向が設定され、受信されるテレビジョン放送の受信状態の良否を示す情報である受信良否情報が生成されて、生成された受信良否情報に基づき受信状態が良好であると判定された場合に、設定された１のゲイン及び１の方向が、受信条件として条件記憶手段に記録されて、ゲイン及び方向の設定処理が終了されるため、受信状態が良好であると判定された時点でゲイン及び方向の設定処理が終了され、全てのゲイン及び全ての方向に対応する受信良否情報を生成する必要がないので、スマートアンテナの方向及びゲインの適正値を効率的に検索することができるのである。また、受信状態が良好であると判定される可能性の高い方向を方向記憶手段の１の群に含めて格納しておくことによって、第２所定数の段階のゲインの中から、１のゲインが設定され、方向記憶手段に格納された１の群に含まれる方向の中から予め設定された順に１の方向が設定される過程（以下、第１の過程という）において、受信状態が良好であると判定される可能性が高いので、スマートアンテナの方向及びゲインの適正値を更に効率的に検索することができるのである。また、上記第１の過程において、受信状態が良好であると判定されなかった場合には、第２所定数の段階のゲインの中から、他の１のゲインが設定され、方向記憶手段に格納された１の群に含まれる方向の中から予め設定された順に１の方向が設定される過程において、受信状態が良好であると判定される可能性が高いので、スマートアンテナの方向及びゲインの適正値を更に効率的に検索することができるのである。
【００１９】
請求項２に記載の放送受信装置によれば、予め設定された所定時間毎に予め設定された所定回数だけ受信良否情報が生成され、所定回数分の受信良否情報が全て、受信状態が良好であることを示す場合に、受信状態が良好であると判定されるため、スマートアンテナの方向及びゲインの更に適正な値を検索することができる。
【００２０】
すなわち、予め設定された所定時間毎に予め設定された所定回数だけ受信良否情報が生成され、所定回数分の受信良否情報が全て、受信状態が良好であることを示す場合に、受信状態が良好であると判定されるため、環境の変化（例えば、放送波を遮断する飛行機等の障害物の通過等）によって受信状態が変化する場合であっても、適正な方向及びゲインを検索することができるので、スマートアンテナの方向及びゲインの更に適正な値を検索することができるのである。
【００２１】
請求項３に記載の放送受信装置によれば、受信良否情報として、ＢＥＲ（Ｂｉｔ  Ｅｒｒｏｒ  Ｒａｔｅ）が生成されるため、ＢＥＲが予め設定された所定の閾値（例えば、１０-7）以下であるか否かによって受信状態の良否を判定することができるので、簡素な構成でスマートアンテナの方向及びゲインの適正値を更に効率的に検索することができる。
【００２５】
請求項４に記載の放送受信装置によれば、方向記憶手段において、１の群に含まれる方向が、第１所定数の方向の中から、時計回りに、予め設定された所定個数毎に選定された方向であるため、受信状態が良好であると判定される可能性の高い方向が方向記憶手段の１の群に含めて格納される可能性が高いので、スマートアンテナの方向及びゲインの適正値を更に効率的に検索することができる。
【００２６】
請求項５に記載の放送受信装置によれば、第２所定数の段階のゲインが複数の群に分類され、群毎に、ゲインの識別情報であるゲイン識別情報が予めゲイン記憶手段に格納されており、ゲイン記憶手段に格納された１の群に含まれるゲインの中から１のゲインが設定され、方向記憶手段に格納された１の群に含まれる方向の中から予め設定された順に１の方向が設定され、方向記憶手段に格納された１の群に含まれる全ての方向が設定された後に、ゲイン記憶手段に格納された１の群に含まれるゲインの中から他の１のゲインが設定され、方向記憶手段に格納された１の群に含まれる方向の中から予め設定された順に１の方向が設定される。そして、方向記憶手段に格納された１の群に含まれる全ての方向が設定された後に、ゲイン記憶手段に格納された１の群に含まれるゲインの中から１のゲインが設定され、方向記憶手段に格納された他の１の群に含まれる方向の中から予め設定された順に１の方向が設定され、方向記憶手段に格納された前記他の１の群に含まれる全ての方向が設定された後に、前記ゲイン記憶手段に格納された１の群に含まれるゲインの中から他の１のゲインが設定され、方向記憶手段に格納された他の１の群に含まれる方向の中から予め設定された順に１の方向が設定される。更に、ゲイン記憶手段に格納された１の群に含まれる全てのゲインが設定された場合に、ゲイン及び方向の設定処理が終了されるため、スマートアンテナの方向及びゲインの適正値を更に効率的に検索することができる。
【００２７】
すなわち、受信状態が良好であると判定される可能性の高いゲインをゲイン記憶手段の１の群に含めて格納しておくことによって、ゲイン記憶手段に格納された１の群に含まれるゲインの中から１のゲインが設定され、方向記憶手段に格納された１の群に含まれる方向の中から予め設定された順に１の方向が設定される過程（以下、第２の過程という）において、受信状態が良好であると判定される可能性が高いので、スマートアンテナの方向及びゲインの適正値を更に効率的に検索することができるのである。
【００２８】
また、上記第２の過程において、受信状態が良好であると判定されなかった場合には、ゲイン記憶手段に格納された１の群に含まれるゲインの中から他の１のゲインが設定され、方向記憶手段に格納された１の群に含まれる方向の中から予め設定された順に１の方向が設定される過程において、受信状態が良好であると判定される可能性が高いので、スマートアンテナの方向及びゲインの適正値を更に効率的に検索することができるのである。
【００２９】
更に、ゲイン記憶手段に格納された１の群に含まれる全てのゲインが設定された場合に、ゲイン及び方向の設定処理が終了されるため、受信状態が良好であると判定される可能性の低いゲインについての検索を省略することができるので、スマートアンテナの方向及びゲインの適正値を更に効率的に検索することができるのである。
【００３０】
つまり、例えば、接続されたスマートアンテナが、そのゲインを２段階にしか調整できないものである場合には、ゲイン記憶手段に格納された１の群にこの２段階のゲインを含めることによって、無駄な検索処理を省略することができるのである。
【００３１】
請求項６に記載の放送受信装置によれば、ゲイン記憶手段において、１の群に含まれるゲインが、第２所定数の段階のゲインの中から、予め設定された所定段階毎に選定されたゲインであるため、受信状態が良好であると判定される可能性の高いゲインがゲイン記憶手段の１の群に含めて格納される可能性が高いので、スマートアンテナの方向及びゲインの適正値を更に効率的に検索することができる。
【００３２】
請求項７に記載の放送受信装置によれば、第１所定数が１６個であり、第２所定数が４個であって、方向記憶手段が、１６個の方向が２個の群に分類され、１６個の方向の中から、時計回りに、２個毎に選定された８個の方向に対応する方向識別情報が第１群として格納されており、残りの８個の方向に対応する方向識別情報が第２群として格納されており、ゲイン記憶手段が、４個の段階のゲインが２個の群に分類され、４個の段階のゲインの中から、小さい順に、２個毎に選定された２個のゲインに対応するゲイン識別情報が第１群として格納されており、残りの２個のゲインに対応するゲイン識別情報が第２群として格納されているため、スマートアンテナの方向及びゲインの適正値を更に効率的に検索することができる。
【００３３】
すなわち、ＥＩＡ−９０９規格に規定されたスマートアンテナの仕様は、第１所定数が１６個であり、第２所定数が４個であるため、ＥＩＡ−９０９規格に準拠したスマートアンテナが接続されている場合に、スマートアンテナの方向及びゲインの適正値を効率的に検索することができるのである。
【発明を実施するための最良の形態】
【００３４】
以下に本発明の実施形態を、図面を参照しながら説明する。図１は、本発明に係るセットトップボックスの構成の一例を示すブロック図である。セットトップボックス（＝ＳＴＢ：Ｓｅｔ  Ｔｏｐ  Ｂｏｘ）１（放送受信装置に相当する）は、テレビジョン放送を受信し、出力装置２に出力するものであって、ＭＰＵ１１、ＲＡＭ１２、ＲＯＭ１３、操作部１４、受信部１５、音声出力部１６、ＭＰＥＧ２デコード部１７、及び、画像出力部１８を備えている。
【００３５】
出力装置２は、ディスプレイ２１及びスピーカ２２を備え、セットトップボックス１からの音声信号に対応する音声を出力すると共に、セットトップボックス１からの映像信号に対応する映像を出力するものである。ディスプレイ２１（モニタに相当する）は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等を備え、セットトップボックス１（後述する映像信号出力部１８２）から出力された映像信号に対応する映像を表示するものである。スピーカ２２は、セットトップボックス１（後述する音声信号出力部１６２）から出力された音声信号に対応する音声を出力するものである。
【００３６】
ＭＰＵ（Ｍｉｃｒｏ  Ｐｒｏｃｅｓｓｉｎｇ  Ｕｎｉｔ）１１は、セットトップボックス１全体の動作を制御するものである。ＲＡＭ（Ｒａｎｄｏｍ  Ａｃｃｅｓｓ  Ｍｅｍｏｒｙ）１２は、音声情報、映像情報等の情報を読み書き自在に格納するものである。ＲＯＭ（Ｒｅａｄ  Ｏｎｌｙ  Ｍｅｍｏｒｙ）１３は、ＭＰＵ１１を動作させる制御プログラム等を格納するものである。
【００３７】
操作部１４は、電源のＯＮ、ＯＦＦ操作、チャンネル選局等の各種操作を受け付けるものである。受信部１５（受信手段に相当する）は、テレビジョン放送を受信して復調するものであって、アンテナ部１５１、チューナ部１５２、Ａ／Ｄ変換部１５３、復調部１５４、及び、ＴＳデマルチプレクサ１５５を備えている。
【００３８】
アンテナ部１５１は、ＥＩＡ−９０９規格に則って指向性（＝方向）及びゲインを変更できるアンテナであるスマートアンテナを備え、テレビジョン放送波を受信するものである。チューナ部１５２は、アンテナ部１５１で受信されたテレビジョン放送波から、予め設定されたチャンネルの放送を選局するものである。Ａ／Ｄ変換部１５３は、チューナ部１５２からの出力信号（＝アナログ信号）をデジタル情報に変換するものである。復調部１５４は、Ａ／Ｄ変換部１５３からの出力情報を復調するものである。ＴＳ（Ｔｒａｎｓｐｏｒｔ  Ｓｔｒｅａｍ）デマルチプレクサ１５５は、復調部１５４によって復調された出力情報を種別毎に（＝映像情報、音声情報、制御情報等に）分離して出力するものである。
【００３９】
音声出力部１６は、受信部１５によって受信された１のテレビジョン放送に対応する音声を出力するものであって、Ｄ／Ａ変換部１６１、及び、音声信号出力部１６２を備えている。Ｄ／Ａ変換部１６１は、ＴＳデマルチプレクサ１５５から出力された音声情報（＝デジタル情報）をアナログ信号に変換するものである。音声信号出力部１６２は、Ｄ／Ａ変換部１６１によってアナログ信号に変換された音声信号を、出力装置２のスピーカ２２に出力するものである。
【００４０】
ＭＰＥＧ（Ｍｏｔｉｏｎ  Ｐｉｃｔｕｒｅ  Ｅｘｐｅｒｔｓ  Ｇｒｏｕｐ）２デコード部１７は、ＴＳデマルチプレクサ１５５から出力された映像情報を圧縮前の映像情報に復号化するものである。
【００４１】
画像出力部１８は、ＭＰＥＧ２デコード部１７によって復号化された映像情報を出力するものであって、ＮＴＳＣエンコード部１８１、及び、映像信号出力部１８２を備えている。ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）エンコード部１８１は、ＭＰＥＧ２デコード部１７によって復号化された映像情報をＮＴＳＣ方式の映像信号に変換するものである。映像信号出力部１８２は、ＮＴＳＣエンコード部１８１から出力されたＮＴＳＣ方式の映像信号を、出力装置２のディスプレイ２１に対して出力するものである。
【００４２】
次に、セットトップボックス１が放送を受信する場合の動作について説明する。まず、送信されてきたデジタル放送波がアンテナ部１５１で受信される。操作部１４を介してチャンネル選局操作が受け付けられた場合には、チューナ部１５２によって受信するトランスポンダ（Ｔｒａｎｓｐｏｎｄｅｒ）の切換が行われる。受信されたデジタル放送波は、Ａ／Ｄ変換部１５３によりデジタル情報に変換され、復調部１５４によって復調される。
【００４３】
なお、デジタル放送波は、送信側（送信局）からＴＳ（Ｔｒａｎｓｐｏｒｔ  Ｓｔｒｅａｍ）パケットとして送信される。このＴＳパケットは、映像情報、音声情報、制御情報等からなり、これらの情報がＴＳデマルチプレクサ１５５によって、分離して出力され、ＲＡＭ１２に格納される。そして、ＲＡＭ１２から読み出された音声情報がＤ／Ａ変換部１６１によってアナログ信号に変換され、音声信号出力部１６２を介して出力装置２のスピーカ２２から音声が出力される。
【００４４】
また、ＲＡＭ１２から読み出された映像情報がＭＰＥＧ２デコード部１７によって圧縮前の映像情報に復号化され、ＮＴＳＣエンコード部１８１によってＮＴＳＣ方式のテレビジョン信号に変換されて、映像信号出力部１８２を介して出力装置２のディスプレイ２１映像が表示される。
【００４５】
図２は、本発明に係るセットトップボックス１における主要部の構成の一例を示すブロック図である。図１に示すセットトップボックス１のＭＰＵ１１は、機能的に、チャンネル設定部１１１、条件設定部１１２、受信状態評価部１１３、受信判定部１１４、及び、検索終了部１１５を備え、ＲＡＭ１２は、機能的に、方向記憶部１２１、ゲイン記憶部１２２、及び、条件記憶部１２３を備えている。
【００４６】
ここでは、ＭＰＵ１１が、図１に示すＲＯＭ１３等に予め格納された制御プログラムを読み出して実行することにより、チャンネル設定部１１１、条件設定部１１２、受信状態評価部１１３、受信判定部１１４、検索終了部１１５等の機能部として機能すると共に、ＲＡＭ１２を、方向記憶部１２１、ゲイン記憶部１２２、条件記憶部１２３等の機能部として機能させるものである。
【００４７】
また、ＲＡＭ１２、図１に示すＲＯＭ１３に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしても良く、この場合、記録媒体は、例えばハードディスク、光ディスク、フレキシブルディスク、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、半導体メモリ等である。
【００４８】
方向記憶部１２１（方向記憶手段に相当する）は、予め設定された第１所定数の（ここでは、１６個の）方向が複数の（ここでは、２個の）群に分類され、群毎に、方向の識別情報である方向識別情報を予め格納するものである。具体的には、方向記憶部１２１の１の群に含まれる方向は、第１所定数（ここでは、１６個の）の方向の中から、時計回りに、予め設定された所定個数（ここでは、２個）毎に選定された方向である。方向記憶部１２１に格納された方向識別情報は、条件設定部１１２によって読み出されるものである。
【００４９】
図３（ａ）は、設定可能なスマートアンテナの方向の一例を示す図である。（ａ）に示すように、アンテナ部１５１に接続されたスマートアンテナは、互いに２２．５°の角をなす１６個の方向Ｄ０〜Ｄ１５のいずれかの方向に設定される。
【００５０】
図４（ａ）は、方向記憶部１２１に格納された方向識別情報の一例を示す図表である。（ａ）に示すように、方向記憶部１２１は、図３（ａ）に示す方向Ｄ０〜Ｄ１５からなる１６個の方向が２個の群（第１群及び第２群）に分類され、方向Ｄ０〜Ｄ１５からなる１６個の方向の中から、時計回りに、２個毎に選定された８個の方向に対応する方向識別情報（Ｄ０、Ｄ２、Ｄ４、Ｄ６、Ｄ８、Ｄ１０、Ｄ１２、Ｄ１４）を第１群として格納し、残りの８個の方向に対応する方向識別情報を第２群（Ｄ１、Ｄ３、Ｄ５、Ｄ７、Ｄ９、Ｄ１１、Ｄ１３、Ｄ１５）として格納している。
【００５１】
再び、図２に戻って、セットトップボックス１における主要部の構成について説明する。ゲイン記憶部１２２（ゲイン記憶手段に相当する）は、予め設定された第２所定数の（ここでは、４個の）段階のゲインが複数の（ここでは、２個の）群に分類され、群毎に、ゲインの識別情報であるゲイン識別情報を予め格納するものである。具体的には、ゲイン記憶部１２２において、１の群に含まれるゲインは、第２所定数の（ここでは、４個の）段階のゲインの中から、予め設定された所定段階（ここでは、２段階）毎に選定されたゲインである。ゲイン記憶部１２２に格納されたゲイン識別情報は、条件設定部１１２によって読み出されるものである。
【００５２】
図３（ｂ）は、設定可能なスマートアンテナのゲインの一例を示す図である。（ｂ）に示すように、アンテナ部１５１に接続されたスマートアンテナは、ゲインＧ０〜Ｇ３のいずれかのゲインに設定される。ここで、ゲインＧ０〜Ｇ３は、順に大きな値のゲインである。
【００５３】
図４（ｂ）は、ゲイン記憶部１２２に格納されたゲイン識別情報の一例を示す図表である。（ｂ）に示すように、ゲイン記憶部１２２は、図３（ｂ）に示すゲインＧ０〜Ｇ３からなる４個のゲインが２個の群（第１群及び第２群）に分類され、ゲインＧ０〜Ｇ３からなる４個のゲインの中から、予め設定された２段階毎に選定された２個のゲインに対応するゲイン識別情報（Ｇ０、Ｇ２）を第１群として格納し、残りの２個のゲインに対応するゲイン識別情報を第２群（Ｇ１、Ｇ３）として格納している。
【００５４】
再び、図２に戻って、セットトップボックス１における主要部の構成について説明する。条件記憶部１２３（条件記憶手段に相当する）は、チャンネル毎に、スマートアンテナに対して設定する方向及びゲインを受信条件として格納するものである。条件記憶部１２３に格納される方向及びゲインは、検索終了部１１５によって記録される（＝書き込まれる）ものである。
【００５５】
チャンネル設定部１１１（チャンネル設定手段に相当する）は、予め設定された複数のチャンネル（ここでは、チャンネル番号が「２」から「６９」の６８個のチャンネル）の中から、受信する１のチャンネルを順次設定するものである。
【００５６】
条件設定部１１２（条件設定手段に相当する）は、チャンネル設定部１１１によって１のチャンネルが設定される度に、第２所定数の（ここでは、４個の）段階のゲインの中から、予め設定された順に１のゲインを設定すると共に、第１所定数の（ここでは、１６個の）方向の中から、予め設定された順に１の方向を設定するものである。また、条件設定部１１２は、検索終了部１１５からの指示に従って、ゲイン及び方向の設定処理を終了するものである。
【００５７】
具体的には、条件設定部１１２は、まず、ゲイン記憶部１２２に格納された１の群（ここでは、図４（ｂ）に示す第１群）に含まれるゲインＧ０、Ｇ２の中から１のゲイン（例えば、Ｇ０）を設定し、方向記憶部１２１に格納された１の群（ここでは、図４（ａ）に示す第１群）に含まれる方向の中から予め設定された順に１の方向を設定する。そして、条件設定部１１２は、方向記憶部１２１に格納された１の群（ここでは、図４（ａ）に示す第１群）に含まれる全ての方向が設定された後に、ゲイン記憶部１２２に格納された１の群（ここでは、図４（ｂ）に示す第１群）に含まれるゲインＧ０、Ｇ２の中から他の１のゲイン（ここでは、ゲインＧ２）を設定し、方向記憶部１２１に格納された１の群（ここでは、図４（ａ）に示す第１群）に含まれる方向の中から予め設定された順に１の方向を設定する。
【００５８】
次に、条件設定部１１２は、方向記憶部１２１に格納された１の群（ここでは、図４（ａ）に示す第１群）に含まれる全ての方向が設定された後に、ゲイン記憶部１２２に格納された１の群（ここでは、図４（ｂ）に示す第１群）に含まれるゲインＧ０、Ｇ２の中から１のゲイン（ここでは、ゲインＧ０）を設定し、方向記憶部１２１に格納された他の１の群（ここでは、図４（ａ）に示す第２群）に含まれる方向の中から予め設定された順に１の方向を設定する。次いで、条件設定部１１２は、方向記憶部１２１に格納された他の１の群（ここでは、図４（ａ）に示す第２群）に含まれる全ての方向が設定された後に、ゲイン記憶部１２２に格納された１の群（ここでは、図４（ｂ）に示す第１群）に含まれるゲインＧ０、Ｇ２の中から他の１のゲイン（ここでは、Ｇ２）を設定し、方向記憶部１２１に格納された他の１の群（ここでは、図４（ａ）に示す第２群）に含まれる方向の中から予め設定された順に１の方向を設定する。
【００５９】
受信状態評価部１１３（受信状態評価手段に相当する）は、条件設定部１１２によって１のゲイン及び１の方向が設定される度に、スマートアンテナを、設定された１のゲイン及び１の方向に設定し、受信部１５を介して受信されるテレビジョン放送の受信状態の良否を示す情報である受信良否情報を生成するものである。
【００６０】
具体的には、受信状態評価部１１３は、予め設定された所定時間（例えば、０．１秒）毎に予め設定された所定回数（例えば、５回）だけ受信良否情報を生成するものであって、受信良否情報として、ＢＥＲ（Ｂｉｔ  Ｅｒｒｏｒ  Ｒａｔｅ）を生成するものである。
【００６１】
受信判定部１１４（受信判定手段に相当する）は、受信状態評価部１１３によって生成された受信良否情報に基づき、受信状態が良好であるか否かを判定するものである。具体的には、受信判定部１１４は、受信状態評価部１１３によって生成された所定回数（例えば、５回）分の受信良否情報（ここでは、ＢＥＲ）が全て、受信状態が良好であることを示す場合（例えば、ＢＥＲ≦閾値（例えば、１０-7）である場合）に、受信状態が良好であると判定するものである。
【００６２】
検索終了部１１５（検索終了手段に相当する）は、受信判定部１１４によって、受信状態が良好であると判定された場合に、条件設定部１１２によって設定された１のゲイン及び１の方向を、受信条件として条件記憶部１２３に記録し、条件設定部１１２に対してゲイン及び方向の設定処理を終了させるものである。
【００６３】
また、検索終了部１１５は、ゲイン記憶部１２２に格納された１の群（ここでは、図４（ｂ）に示す第１群）に含まれる全てのゲイン（ここでは、ゲインＧ０、Ｇ２）が設定された場合に、条件設定部１１２に対してゲイン及び方向の設定処理を終了させるものである。すなわち、検索終了部１１５は、条件設定部１１２に対して、ゲイン記憶部１２２に格納された他の群（ここでは、図４（ｂ）に示す第２群）含まれる全てのゲインを設定することなく、条件設定部１１２に対してゲイン及び方向の設定処理を終了させるものである。
【００６４】
更に、検索終了部１１５は、受信判定部１１４によって受信状態が良好であると判定されない場合に、条件設定部１１２によって設定されたゲイン及び方向の内、最も受信良否情報が良好なものを受信条件として条件記憶部１２３に記録するものである。ここで、最も受信良否情報が良好な条件（＝ゲイン及び方向）とは、例えば、受信状態評価部１１３によって生成された所定回数（ここでは、５回）のＢＥＲの平均値ＡＶが最小の条件（＝ゲイン及び方向）である。
【００６５】
図５、図６は、セットトップボックス１（主にＭＰＵ１１）の動作の一例を示すフローチャートである。ここでは、便宜上、方向記憶部１２１及びゲイン記憶部１２２に、それぞれ、図４（ａ）、（ｂ）に示す複数の（ここでは、２個の）群の方向識別情報及びゲイン識別情報が予め格納されている場合について説明する。また、ここでは、便宜上、チャンネル番号が「２」から「６９」の６８個のチャンネルの内、１のチャンネルについて、スマートアンテナに対して設定する方向及びゲインを検索する場合について説明する。
【００６６】
まず、図５に示すように、条件設定部１１２によって、スマートアンテナの方向を規定する方向パラメータＫが「０」に設定され、スマートアンテナのゲイン（ＧＮ）を示すパラメータＮが「０」に設定される（Ｓ１０１）。そして、受信状態評価部１１３によって、スマートアンテナのゲインがゲインＧＮ（ここでは、ゲインＧ０）に設定される（Ｓ１０３）。次いで、条件設定部１１２によって、方向パラメータＫが「８」未満であるか否か（＝図４（ａ）に示す第１群に含まれる方向を設定するか否か）の判定が行われる（Ｓ１０５）。
【００６７】
方向パラメータＫが「８」未満である（＝図４（ａ）に示す第１群に含まれる方向を設定する）と判定された場合（Ｓ１０５でＹＥＳ）には、スマートアンテナの方向（ＤＭ）を示すパラメータＭが「Ｋ×２」に設定される（Ｓ１０７）。一方、方向パラメータＫが「８」未満ではない（＝図４（ａ）に示す第２群に含まれる方向を設定する）と判定された場合（Ｓ１０５でＮＯ）には、スマートアンテナの方向（ＤＭ）を示すパラメータＭが「（Ｋ−８）×２＋１」に設定される（Ｓ１０９）。
【００６８】
ステップＳ１０７又はステップＳ１０９の処理が終了した場合には、受信状態評価部１１３によって、スマートアンテナの方向が、ステップＳ１０７又はステップＳ１０９において設定されたスマートアンテナの方向ＤＭに設定される（Ｓ１１１）。そして、受信状態評価部１１３及び受信判定部１１４等によって受信状態が良好であるか否かを判定する受信判定処理が行われる（Ｓ１１３）。
【００６９】
次いで、図６に示すように、検索終了部１１５によって、受信状態が良好であるか否かを示すフラグである受信良好フラグがＯＮであるか否かの判定が行われる（Ｓ１１５）。受信良好フラグがＯＮである（＝受信状態が良好である）と判定された場合（Ｓ１１５でＹＥＳ）には、検索終了部１１５によって、図５に示すステップＳ１０３において設定されたスマートアンテナのゲインＧＮ、及び、図５に示すステップＳ１１１において設定されたスマートアンテナの方向ＤＭが条件記憶部１２３に記録されて（Ｓ１１７）、処理が終了される。
【００７０】
受信良好フラグがＯＦＦである（＝受信状態が良好ではない）と判定された場合（Ｓ１１５でＮＯ）には、検索終了部１１５によって、図５に示すステップＳ１１３において求められたＢＥＲの平均値ＡＶが、それまでに得られたＢＥＲの平均値ＡＶの最小値ＡＶ０未満であるか否かの判定が行われる（Ｓ１１９）。平均値ＡＶが最小値ＡＶ０以上であると判定された場合（Ｓ１１９でＮＯ）には、処理がステップＳ１２３に進められる。平均値ＡＶが最小値ＡＶ０未満であると判定された場合（Ｓ１１９でＹＥＳ）には、検索終了部１１５によって、最小値ＡＶ０が平均値ＡＶに更新され、図５に示すステップＳ１０３において設定されたスマートアンテナのゲインＧＮ、及び、図５に示すステップＳ１１１において設定されたスマートアンテナの方向ＤＭが条件記憶部１２３に記録される（Ｓ１２１）。
【００７１】
ステップＳ１１９でＮＯの場合、又は、ステップＳ１２１の処理が終了した場合には、条件設定部１１２によって、スマートアンテナの方向を規定する方向パラメータＫが「１５」以上であるか否か（＝図４（ａ）に示す第２群に含まれる全ての方向の設定が終了したか否か）の判定が行われる（Ｓ１２３）。方向パラメータＫが「１５」以上ではないと判定された場合（Ｓ１２３でＮＯ）には、条件設定部１１２によって、方向パラメータＫが１だけインクリメントされて（Ｓ１２５）、処理が図５に示すステップＳ１０５に戻され、ステップＳ１０５以降の処理が繰り返し実行される。
【００７２】
方向パラメータＫが「１５」以上であると判定された場合（Ｓ１２３でＹＥＳ）には、条件設定部１１２によって、スマートアンテナのゲイン（ＧＮ）を示すパラメータＮが２以上であるか否か（＝図４（ｂ）に示す第１群に含まれる全てのゲインが設定されたか否か）の判定が行われる（Ｓ１２７）。パラメータＮが２以上ではないと判定された場合（Ｓ１２７でＮＯ）には、パラメータＮが「２」に設定され（Ｓ１２９）、処理が図５に示すステップＳ１０３に戻され、ステップＳ１０３以降の処理が繰り返し実行される。パラメータＮが２以上であると判定された場合（Ｓ１２７でＹＥＳ）には、処理が終了される。
【００７３】
図７は、図５に示すフローチャートのステップＳ１１３において実行される受信判定処理の一例を示すフローチャートである。まず、受信判定部１１４によって、受信状態が良好であるか否かを示すフラグである受信良好フラグが「ＯＮ」に設定されると共に、ＢＥＲの生成回数を示すカウンタＣ及びＢＥＲの平均値ＡＶが「０」に設定される（Ｓ２０１）。そして、受信状態評価部１１３によって、ＢＥＲが取得され生成される（Ｓ２０３）。次いで、受信判定部１１４によって、ステップＳ２０３において生成されたＢＥＲが予め設定された所定の閾値（例えば、１０-7）より大きいか否かの判定が行われる（Ｓ２０５）。
【００７４】
閾値（＝１０-7）以下であると判定された場合（Ｓ２０５でＮＯ）には、処理がステップＳ２０９に進められる。閾値（＝１０-7）より大きいと判定された場合（Ｓ２０５でＹＥＳ）には、受信良好フラグが「ＯＦＦ」に設定される（Ｓ２０７）。ステップＳ２０５でＮＯの場合、又は、ステップＳ２０７の処理が終了した場合には、検索終了部１１５によって、平均値ＡＶにステップＳ２０３で生成されたＢＥＲを５（＝ＢＥＲを生成する回数である所定回数に対応する値）で除した値が加算され更新される（Ｓ２０９）。
【００７５】
そして、受信状態評価部１１３によって、カウンタＣが「５」（＝ＢＥＲを生成する回数である所定回数に対応する値）以上であるか否かの判定が行われる（Ｓ２１１）。カウンタＣが「５」以上であると判定された場合（Ｓ２１１でＹＥＳ）には、処理がリターンされる。カウンタＣが「５」以上ではないと判定された場合（Ｓ２１１でＮＯ）には、受信状態評価部１１３によって、所定時間（例えば、０．１秒）が経過したか否かの判定が行われる（Ｓ２１３）。所定時間が経過していないと判定された場合（Ｓ２１３でＮＯ）には、処理が待機状態とされる。所定時間が経過したと判定された場合（Ｓ２１３でＹＥＳ）には、カウンタＣが１だけインクリメントされ（Ｓ２１５）、処理がステップＳ２０３に戻され、ステップＳ２０３以降の処理が繰り返し実行される。
【００７６】
このようにして、予め設定された複数の（ここでは、６８個の）チャンネルの中から、受信する１のチャンネルが順次設定され、チャンネルに対応するテレビジョン放送が、受信部１５によってスマートアンテナを介して受信される。また、１のチャンネルが設定される度に、第２所定数の（ここでは、４個の）段階のゲインの中から、予め設定された順に１のゲインが設定されると共に、第１所定数の（ここでは、１６個の）方向の中から、予め設定された順に１の方向が設定され、１のゲイン及び１の方向が設定される度に、スマートアンテナが、設定された１のゲイン及び１の方向に設定され、受信部１５を介して受信されるテレビジョン放送の受信状態の良否を示す情報である受信良否情報（ここでは、ＢＥＲ情報）が生成される。そして、生成された受信良否情報に基づき、受信状態が良好であるか否かが判定され、受信状態が良好であると判定された場合に、設定された１のゲイン及び１の方向が、受信条件として条件記憶部１２３に記録されて、ゲイン及び方向の設定処理が終了されるため、スマートアンテナの方向及びゲインの適正値を効率的に検索することができる。
【００７７】
すなわち、１のチャンネルが設定される度に、１のゲイン及び１の方向が設定され、受信されるテレビジョン放送の受信状態の良否を示す情報である受信良否情報（ここでは、ＢＥＲ情報）が生成されて、生成された受信良否情報に基づき受信状態が良好であると判定された場合に、設定された１のゲイン及び１の方向が、受信条件として条件記憶部１２３に記録されて、ゲイン及び方向の設定処理が終了されるため、受信状態が良好であると判定された時点でゲイン及び方向の設定処理が終了され、全てのゲイン及び全ての方向に対応する受信良否情報を生成する必要がないので、スマートアンテナの方向及びゲインの適正値を効率的に検索することができるのである。
【００７８】
また、予め設定された所定時間（ここでは、０．１秒）毎に予め設定された所定回数（ここでは、５回）だけ受信良否情報（ここでは、ＢＥＲ情報）が生成され、所定回数分の受信良否情報が全て、受信状態が良好であることを示す場合に、受信状態が良好であると判定されるため、スマートアンテナの方向及びゲインの更に適正な値を検索することができる。
【００７９】
すなわち、予め設定された所定時間毎に予め設定された所定回数だけ受信良否情報が生成され、所定回数分の受信良否情報が全て、受信状態が良好であることを示す場合に、受信状態が良好であると判定されるため、環境の変化（例えば、放送波を遮断する飛行機等の障害物の通過等）によって受信状態が変化する場合であっても、適正な方向及びゲインを検索することができるので、スマートアンテナの方向及びゲインの更に適正な値を検索することができるのである。
【００８０】
更に、受信良否情報として、ＢＥＲが生成されるため、ＢＥＲが予め設定された所定の閾値（例えば、１０-7）以下であるか否かによって受信状態の良否を判定することができるので、簡素な構成でスマートアンテナの方向及びゲインの適正値を更に効率的に検索することができる。
【００８１】
加えて、第１所定数の（ここでは、１６個の）方向が複数の（ここでは２個の）群に分類され、群毎に、方向の識別情報である方向識別情報が予め方向記憶部１２１に格納されており（図４（ａ）参照）、第２所定数の（ここでは、４個の）段階のゲインの中から、１のゲイン（ここでは、ゲインＧ０）が設定され、方向記憶部１２１に格納された１の群に含まれる方向（ここでは、方向Ｄ０、Ｄ２、Ｄ４、Ｄ６、Ｄ８、Ｄ１０、Ｄ１２、Ｄ１４）の中から予め設定された順に１の方向が設定され、方向記憶部１２１に格納された１の群に含まれる全ての方向が設定された後に、第２所定数の段階のゲインの中から、他の１のゲイン（ここでは、ゲインＧ２）が設定され、方向記憶部１２１に格納された１の群に含まれる方向の中から予め設定された順に１の方向が設定される。そして、方向記憶部１２１に格納された１の群に含まれる全ての方向が設定された後に、第２所定数の段階のゲインの中から、１のゲイン（ここでは、ゲインＧ０）が設定され、方向記憶部１２１に格納された他の１の群に含まれる方向（ここでは、方向Ｄ１、Ｄ３、Ｄ５、Ｄ７、Ｄ９、Ｄ１１、Ｄ１３、Ｄ１５）の中から予め設定された順に１の方向が設定され、方向記憶部１２１に格納された他の１の群に含まれる全ての方向が設定された後に、第２所定数の段階のゲインの中から、他の１のゲイン（ここでは、ゲインＧ２）が設定され、方向記憶部１２１に格納された他の１の群に含まれる方向の中から予め設定された順に１の方向が設定されるため、スマートアンテナの方向及びゲインの適正値を更に効率的に検索することができる。
【００８２】
すなわち、受信状態が良好であると判定される可能性の高い方向を方向記憶部１２１の１の群（ここでは、図４（ａ）に示す第１群）に含めて格納しておくことによって、第２所定数の段階のゲインの中から、１のゲイン（ここでは、ゲインＧ０）が設定され、方向記憶部１２１に格納された１の群に含まれる方向の中から予め設定された順に１の方向が設定される過程（以下、第１の過程という）において、受信状態が良好であると判定される可能性が高いので、スマートアンテナの方向及びゲインの適正値を更に効率的に検索することができるのである。
【００８３】
また、上記第１の過程において、受信状態が良好であると判定されなかった場合には、第２所定数の段階のゲインの中から、他の１のゲイン（ここでは、ゲインＧ２）が設定され、方向記憶部１２１に格納された１の群に含まれる方向の中から予め設定された順に１の方向が設定される過程において、受信状態が良好であると判定される可能性が高いので、スマートアンテナの方向及びゲインの適正値を更に効率的に検索することができるのである。
【００８４】
更に、方向記憶部１２１において、１の群に含まれる方向（ここでは、方向Ｄ０、Ｄ２、Ｄ４、Ｄ６、Ｄ８、Ｄ１０、Ｄ１２、Ｄ１４）が、第１所定数の（ここでは、１６個の）方向の中から、時計回りに、予め設定された所定個数（ここでは、２個）毎に選定された方向であるため、受信状態が良好であると判定される可能性の高い方向が方向記憶部１２１の１の群（ここでは、図４（ａ）に示す第１群）に含めて格納される可能性が高いので、スマートアンテナの方向及びゲインの適正値を更に効率的に検索することができる。
【００８５】
加えて、第２所定数の（ここでは、４個の）段階のゲインが複数の（ここでは、２個の）群に分類され、群毎に、ゲインの識別情報であるゲイン識別情報が予めゲイン記憶部１２２に格納されており（図４（ｂ）参照）、ゲイン記憶部１２２に格納された１の群（ここでは、図４（ｂ）に示す第１群）に含まれるゲインの中から１のゲイン（ここでは、ゲインＧ０）が設定され、方向記憶部１２１に格納された１の群（ここでは、図４（ａ）に示す第１群）に含まれる方向（ここでは、方向Ｄ０、Ｄ２、Ｄ４、Ｄ６、Ｄ８、Ｄ１０、Ｄ１２、Ｄ１４）の中から予め設定された順に１の方向が設定され、方向記憶部１２１に格納された１の群に含まれる全ての方向が設定された後に、ゲイン記憶部１２２に格納された１の群に含まれるゲインの中から他の１のゲイン（ここでは、ゲインＧ２）が設定され、方向記憶部１２１に格納された１の群に含まれる方向の中から予め設定された順に１の方向が設定される。そして、方向記憶部１２１に格納された１の群に含まれる全ての方向が設定された後に、ゲイン記憶部１２２に格納された１の群に含まれるゲインの中から１のゲイン（ここでは、ゲインＧ０）が設定され、方向記憶手段に格納された他の１の群（ここでは、図４（ａ）に示す第２群）に含まれる方向（ここでは、方向Ｄ１、Ｄ３、Ｄ５、Ｄ７、Ｄ９、Ｄ１１、Ｄ１３、Ｄ１５）の中から予め設定された順に１の方向が設定され、方向記憶部１２１に格納された他の１の群に含まれる全ての方向が設定された後に、ゲイン記憶部１２２に格納された１の群に含まれるゲインの中から他の１のゲイン（ここでは、ゲインＧ２）が設定され、方向記憶部１２１に格納された他の１の群に含まれる方向の中から予め設定された順に１の方向が設定される。更に、ゲイン記憶部１２２に格納された１の群に含まれる全てのゲイン（ここでは、ゲインＧ０、Ｇ２）が設定された場合に、ゲイン及び方向の設定処理が終了されるため、スマートアンテナの方向及びゲインの適正値を更に効率的に検索することができる。
【００８６】
すなわち、受信状態が良好であると判定される可能性の高いゲインをゲイン記憶部１２２の１の群（ここでは、図４（ｂ）に示す第１群）に含めて格納しておくことによって、ゲイン記憶部１２２に格納された１の群に含まれるゲインの中から１のゲイン（ここでは、ゲインＧ０）が設定され、方向記憶部１２１に格納された１の群（ここでは、図４（ａ）に示す第１群）に含まれる方向の中から予め設定された順に１の方向が設定される過程（以下、第２の過程という）において、受信状態が良好であると判定される可能性が高いので、スマートアンテナの方向及びゲインの適正値を更に効率的に検索することができるのである。
【００８７】
また、上記第２の過程において、受信状態が良好であると判定されなかった場合には、ゲイン記憶部１２２に格納された１の群（ここでは、図４（ｂ）に示す第１群）に含まれるゲインの中から他の１のゲイン（ここでは、ゲインＧ２）が設定され、方向記憶部１２１に格納された１の群（ここでは、図４（ａ）に示す第１群）に含まれる方向の中から予め設定された順に１の方向が設定される過程において、受信状態が良好であると判定される可能性が高いので、スマートアンテナの方向及びゲインの適正値を更に効率的に検索することができるのである。
【００８８】
更に、ゲイン記憶部１２２に格納された１の群（ここでは、図４（ｂ）に示す第１群）に含まれる全てのゲイン（ここでは、ゲインＧ０、Ｇ２）が設定された場合に、ゲイン及び方向の設定処理が終了されるため、受信状態が良好であると判定される可能性の低いゲインについての検索を省略することができるので、スマートアンテナの方向及びゲインの適正値を更に効率的に検索することができるのである。
【００８９】
つまり、例えば、接続されたスマートアンテナが、そのゲインを２段階にしか調整できないものである場合には、ゲイン記憶部１２２に格納された１の群（ここでは、図４（ｂ）に示す第１群）にこの２段階のゲインを含めることによって、無駄な検索処理を省略することができるのである。
【００９０】
加えて、ゲイン記憶部１２２において、１の群（ここでは、図４（ｂ）に示す第１群）に含まれるゲインが、第２所定数の（ここでは、４個の）段階のゲインの中から、予め設定された所定段階（ここでは、２段階）毎に選定されたゲインであるため、受信状態が良好であると判定される可能性の高いゲインがゲイン記憶部１２２の１の群に含めて格納される可能性が高いので、スマートアンテナの方向及びゲインの適正値を更に効率的に検索することができる。
【００９１】
また、第１所定数が１６個であり、第２所定数が４個であって、方向記憶部１２１が、１６個の方向が２個の群に分類され、１６個の方向の中から、時計回りに、２個毎に選定された８個の方向に対応する方向識別情報が第１群として格納されており、残りの８個の方向に対応する方向識別情報が第２群として格納されており、ゲイン記憶部１２２が、４個の段階のゲインが２個の群に分類され、４個の段階のゲインの中から、小さい順に、２個毎に選定された２個のゲインに対応するゲイン識別情報が第１群として格納されており、残りの２個のゲインに対応するゲイン識別情報が第２群として格納されているため、スマートアンテナの方向及びゲインの適正値を更に効率的に検索することができる。
【００９２】
すなわち、ＥＩＡ−９０９規格に規定されたスマートアンテナの仕様は、第１所定数（＝変更可能な方向の個数）が１６個であり、第２所定数（＝変更可能なゲインの段階の個数）が４個であるため、ＥＩＡ−９０９規格に準拠したスマートアンテナが接続されている場合に、スマートアンテナの方向及びゲインの適正値を効率的に検索することができるのである。
【００９３】
なお、本発明は、以下の形態にも適用可能である。
（Ａ）本実施形態では、放送受信装置が、デジタル放送を受信するセットトップボックス１である場合について説明したが、アナログ放送を受信するセットトップボックス１等の放送受信機である形態でも良いし、アナログ放送及びデジタル放送を受信するセットトップボックス１等の放送受信機である形態でも良い。なお、セットトップボックス１がアナログ放送を受信する場合には、受信状態の良否は、ビットエラーレート（ＢＥＲ）に換えて、Ｓ／Ｎ比を用いて評価すれば良い。
【００９４】
（Ｂ）本実施形態では、方向記憶部１２１において、第１所定数の（ここでは、１６個の）方向が２個の群に分類されている場合について説明したが、方向記憶部１２１において、第１所定数の（ここでは、１６個の）方向が３個以上の群に分類されている形態でも良い。図４（ｃ）は、方向記憶部１２１に格納された方向識別情報の別の一例を示す図表である。
【００９５】
図４（ｃ）において、図３（ａ）に示す方向Ｄ０〜Ｄ１５からなる１６個の方向が４個の群（第１群〜第４群）に分類され、方向Ｄ０〜Ｄ１５からなる１６個の方向の中から、時計回りに、４個毎に選定された４個の方向に対応する方向識別情報（Ｄ０、Ｄ４、Ｄ８、Ｄ１２）を第１群として格納し、第１群に含まれる方向の中間の４方向に対応する方向識別情報（Ｄ２、Ｄ６、Ｄ１０、Ｄ１４）を第２群として格納し、第１群に含まれる方向の時計回り側に隣接する４方向に対応する方向識別情報（Ｄ１、Ｄ５、Ｄ９、Ｄ１３）を第３群として格納し、残りの４方向に対応する方向識別情報（Ｄ３、Ｄ７、Ｄ１１、Ｄ１５）を第４群として格納している。
【００９６】
このように、方向記憶部１２１において、第１所定数の（ここでは、１６個の）方向が３個以上の（ここでは、４個の）群に分類されている場合には、第１群に含まれる方向の個数が少ないので、スマートアンテナの方向及びゲインの適正値を更に効率的に検索することができる。
【００９７】
（Ｃ）本実施形態では、ゲイン記憶部１２２において、第２所定数の（ここでは、４個の）方向が２個の群に分類されている場合について説明したが、ゲイン記憶部１２２において、第２所定数の（ここでは、４個の）方向が３個以上の群に分類されている形態でも良い。この場合には、第１群に含まれる方向の個数が少ないので、スマートアンテナの方向及びゲインの適正値を更に効率的に検索することができる。
【００９８】
（Ｄ）本実施形態では、受信状態評価部１１３が、予め設定された所定時間（ここでは、０．１秒）毎に予め設定された所定回数（ここでは、５回）だけ受信良否情報を生成する場合について説明したが、受信状態評価部１１３が、１回だけ受信良否情報を生成する形態でも良い。この場合には、スマートアンテナの方向及びゲインの適正値を更に効率的に検索することができる。
【００９９】
（Ｅ）本実施形態では、ＭＰＵ１１が、チャンネル設定部１１１、条件設定部１１２、受信状態評価部１１３、受信判定部１１４、検索終了部１１５等の機能部を備える場合について説明したが、チャンネル設定部１１１、条件設定部１１２、受信状態評価部１１３、受信判定部１１４、及び、検索終了部１１５の内、少なくとも１の機能部が回路等のハードウェアによって構成されている形態でも良い。
【図面の簡単な説明】
【０１００】
【図１】は、本発明に係るセットトップボックスの構成の一例を示すブロック図である。
【図２】は、本発明に係るセットトップボックスにおける主要部の構成の一例を示すブロック図である。
【図３】は、スマートアンテナの設定可能な方向、及び、設定可能なゲインの一例を示す図である。
【図４】は、方向記憶部に格納された方向識別情報の一例、及び、ゲイン記憶部に格納されたゲイン識別情報の一例を示す図表である。
【図５】は、セットトップボックス（主にＭＰＵ）の動作の一例を示すフローチャートである（前半部）。
【図６】は、セットトップボックス（主にＭＰＵ）の動作の一例を示すフローチャートである（後半部）
【図７】は、図５に示すフローチャートのステップＳ１１３において実行される受信判定処理の一例を示すフローチャートである。
【符号の説明】
【０１０１】
１    セットトップボックス（放送受信装置）
１１    ＭＰＵ
１１１    チャンネル設定部（チャンネル設定手段）
１１２    条件設定部（条件設定手段）
１１３    受信状態評価部（受信状態評価手段）
１１４    受信判定部（受信判定手段）
１１５    検索終了部（検索終了手段）
１２    ＲＡＭ
１２１    方向記憶部（方向記憶手段）
１２２    ゲイン記憶部（ゲイン記憶手段）
１２３    条件記憶部（条件記憶手段）
１５    受信部（受信手段）
１５１    アンテナ部（スマートアンテナ）
１５２    チューナ部
２    出力装置
２１    ディスプレイ（モニタ）
２２    スピーカ
【図１】
0004821748.tif 000002
【図２】
0004821748.tif 000003
【図３】
0004821748.tif 000004
【図４】
0004821748.tif 000005
【図５】
0004821748.tif 000006
【図６】
0004821748.tif 000007
【図７】
0004821748.tif 000008